(57)【特許請求の範囲】
【請求項１】
Ｗｉ-Ｆｉ通信に使用するＳＳＩＤ及びパスワードを変更するＳＳＩＤパスワード変更システムであって、
ＵＳＢ接続が可能な携帯通信端末と、
前記携帯通信端末とＷｉ-Ｆｉ通信しＵＳＢ接続が可能なモバイルルータと、
ＵＳＢ接続端子を有しＵＳＢ接続された前記携帯通信端末及び前記モバイルルータを充電する充電器と、を備え、
前記充電器は、新たにＳＳＩＤ及びパスワードを生成するＳＳＩＤパスワード生成部を有し、
前記充電器が、ＵＳＢ接続された前記携帯通信端末及び前記モバイルルータに新たに生成したＳＳＩＤ及びパスワードをＵＳＢ通信によって送信し、前記携帯通信端末及び前記モバイルルータにおいて当該新たに生成したＳＳＩＤ及びパスワードをＷｉ-Ｆｉ通信に使用するＳＳＩＤ及びパスワードに設定するＳＳＩＤパスワード変更システム。
【請求項２】
前記充電器は、前記ＵＳＢ接続端子を複数有する請求項１に記載のＳＳＩＤパスワード変更システム。
【請求項３】
前記充電器は、ＵＳＢ通信を行うＵＳＢ通信回路と、ＵＳＢのデータラインであるＤ＋とＤ−とを短絡する短絡回路と、前記ＵＳＢ通信回路と前記短絡回路との切り替えを行う切り替え部と、を有し、
前記切り替え部が、新たにＳＳＩＤ及びパスワードを前記携帯通信端末及び前記モバイルルータに送信した後に前記ＵＳＢ通信回路から前記短絡回路に切り替える請求項１または２のいずれかに記載のＳＳＩＤパスワード変更システム。
【請求項４】
前記ＳＳＩＤパスワード生成部は、新たに生成したＳＳＩＤ及びパスワードとともに対応するインデックスを生成し、
前記充電器が、ＵＳＢ接続された前記携帯通信端末及び前記モバイルルータに新たに生成したＳＳＩＤ及びパスワードと対応するインデックスとをＵＳＢ通信によって送信し、
前記携帯通信端末は、前記充電器から受信したＳＳＩＤ及びパスワードと対応するインデックスとを格納する第１格納部を有し、
前記モバイルルータは、前記充電器から受信したＳＳＩＤ及びパスワードと対応するインデックスとを格納する第２格納部とＳＳＩＤ及びパスワードの切り替えを制御するＳＳＩＤパスワード切替制御部とを有し、
前記モバイルルータが、Ｗｉ-Ｆｉ通信によって前記携帯通信端末に対し前記第１格納部に格納されたインデックスを問い合わせすることにより前記第１格納部に格納されたインデックスと前記第２格納部に格納されたインデックスとで一致するものがあるか照合を行い、
前記モバイルルータに格納されたインデックスと前記携帯通信端末に格納されたインデックスとで一致するものがある場合は、前記ＳＳＩＤパスワード切替制御部が、一致するインデックスのうちの１つに対応するＳＳＩＤ及びパスワードをＷｉ-Ｆｉ通信に使用するＳＳＩＤ及びパスワードに設定するとともに、Ｗｉ-Ｆｉ通信により、前記携帯通信端末に対し、当該一致するインデックスのうちの１つを通知するとともに、当該一致するインデックスに対応するＳＳＩＤ及びパスワードをＷｉ-Ｆｉ通信に使用するＳＳＩＤ及びパスワードに設定するよう指示する請求項１乃至３のいずれか一項に記載のＳＳＩＤパスワード変更システム。
【請求項５】
ＵＳＢ接続端子を備え、ＵＳＢ接続が可能な携帯通信端末及び前記携帯通信端末とＷｉ-Ｆｉ通信しＵＳＢ接続が可能なモバイルルータを充電する充電器であって、
前記携帯通信端末及び前記モバイルルータとのＵＳＢ通信の制御を行うＵＳＢ通信制御部と、
Ｗｉ-Ｆｉ通信に使用するＳＳＩＤ及びパスワードを新たに生成するＳＳＩＤパスワード生成部と、を備え、
前記携帯通信端末及び前記モバイルルータが前記ＵＳＢ接続端子に接続された際に、前記ＵＳＢ通信制御部が、当該接続された機器に生成したＳＳＩＤ及びパスワードをＵＳＢ通信によって送信する充電器。
【請求項６】
前記ＵＳＢ接続端子を複数備える請求項５に記載の充電器。
【請求項７】
ＵＳＢ通信を行うＵＳＢ通信回路と、
ＵＳＢのデータラインであるＤ＋とＤ−とを短絡する短絡回路と前記ＵＳＢ通信回路と前記短絡回路との切り替えを行う切り替え部と、をさらに有し、
前記切り替え部が、新たにＳＳＩＤ及びパスワードを前記携帯通信端末及び前記モバイルルータに送信した後に前記ＵＳＢ通信回路から前記短絡回路に切り替える請求項５または６のいずれかに記載の充電器。
【請求項８】
ＵＳＢ接続が可能な携帯通信端末と、前記携帯通信端末とＷｉ-Ｆｉ通信しＵＳＢ接続が可能なモバイルルータと、のＳＳＩＤ及びパスワードの変更に、ＵＳＢ接続端子を有しＵＳＢ接続された前記携帯通信端末及び前記モバイルルータを充電するとともに新たなＳＳＩＤ及びパスワードを生成することが可能な充電器を用いるＳＳＩＤパスワード変更方法であって、
前記充電器において、新たにＳＳＩＤ及びパスワードを生成するステップと、
前記充電器において、ＵＳＢ接続された前記携帯通信端末及び前記モバイルルータに新たに生成したＳＳＩＤ及びパスワードをＵＳＢ通信によって送信するステップと、
前記携帯通信端末及び前記モバイルルータにおいて、当該新たに生成したＳＳＩＤ及びパスワードをＷｉ-Ｆｉ通信に使用するＳＳＩＤ及びパスワードに設定するステップと、
を備えるＳＳＩＤパスワード変更方法。
【請求項９】
前記充電器は、ＵＳＢ通信を行うＵＳＢ通信回路と、ＵＳＢのデータラインであるＤ＋とＤ−とを短絡する短絡回路と、前記ＵＳＢ通信回路と前記短絡回路との切り替えを行う切り替え部をさらに有し、
前記切り替え部が、新たにＳＳＩＤ及びパスワードを前記携帯通信端末及び前記モバイルルータに送信した後に前記ＵＳＢ通信回路から前記短絡回路に切り替えるステップをさらに備える請求項８に記載のＳＳＩＤパスワード変更方法。
【請求項１０】
ＵＳＢ接続端子を有しＵＳＢ接続された携帯通信端末及びモバイルルータを充電するとともに新たなＳＳＩＤ及びパスワードを生成することが可能な充電器の制御プログラムであって、
前記充電器において、新たにＳＳＩＤ及びパスワードを生成するステップと、
前記充電器において、ＵＳＢ接続された前記携帯通信端末及び前記モバイルルータに新たに生成したＳＳＩＤ及びパスワードをＵＳＢ通信によって送信するステップと、を前記充電器のコンピュータに実行させる、制御プログラム。
【発明の詳細な説明】
【技術分野】
【０００１】
本発明は、Ｗｉ-Ｆｉ通信に使用するＳＳＩＤ及びパスワードを変更する、ＳＳＩＤ及びパスワード変更システム、充電器、ＳＳＩＤ及びパスワード変更方法及び制御プログラムに関する。
【背景技術】
【０００２】
Ｗｉ-Ｆｉ（Ｗｉｒｅｌｅｓｓ  Ｆｉｄｅｌｉｔｙ）通信などの無線通信において、ネットワークに接続する際に必要な接続パラメータの設定を自動で行う技術が知られている。
【０００３】
特許文献１には、アクセスポイントから発信されるビーコン（ｂｅａｃｏｎ）からＳＳＩＤ（Ｓｅｒｖｉｃｅ  Ｓｅｔ  ＩＤｅｎｔｉｆｉｃａｔｉｏｎ）コードを検索し、検索したＳＳＩＤコードが記憶されたネットワーク接続情報ファイルにある場合にネットワーク接続情報ファイルの内容をパーソナルコンピュータのレジストリに設定値として書き込むことでネットワーク接続に必要なネットワーク接続情報の設定を行う技術が記載されている。ＳＳＩＤとは、Ｗｉ-Ｆｉの通信規格で定められているアクセスポイントの識別子である。
【先行技術文献】
【特許文献】
【０００４】
【特許文献１】特開２００３-２０４３３５号公報
【発明の概要】
【発明が解決しようとする課題】
【０００５】
特許文献１に記載の技術を用いることで、Ｗｉ-Ｆｉ通信において、ユーザはパラメータを自ら入力することなく容易にネットワークに接続することができる。Ｗｉ-Ｆｉ通信では、アクセスポインと新規接続を行う場合、ＳＳＩＤによってアクセスポイントを識別し、暗号化キーやパスワード（以下、一括してパスワードと呼ぶ）でログイン無線接続する必要がある。しかしながら、ＳＳＩＤやパスワードの変更は自動で行われないため、ユーザがＳＳＩＤやパスワードの変更を行わない限りＳＳＩＤやパスワードは変更されず、第三者からのパスワード解析攻撃などに対して弱いという問題がある。また、ＳＳＩＤ及びパスワードを変更する際には、第三者にＳＳＩＤ及びパスワードを傍受され難くする配慮が必要である。
【０００６】
本発明は、以上の背景に鑑みなされたものであり、ユーザの負担なくセキュリティー性の高い、Ｗｉ-Ｆｉ通信のＳＳＩＤ及びパスワード変更システム、充電器、ＳＳＩＤ及びパスワード変更方法及び制御プログラムを提供することを目的とする。
【課題を解決するための手段】
【０００７】
本発明は、Ｗｉ-Ｆｉ通信に使用するＳＳＩＤ及びパスワードを変更するＳＳＩＤパスワード変更システムであって、ＵＳＢ接続が可能な携帯通信端末と、前記携帯通信端末とＷｉ-Ｆｉ通信しＵＳＢ接続が可能なモバイルルータと、ＵＳＢ接続端子を有しＵＳＢ接続された前記携帯通信端末及び前記モバイルルータを充電する充電器と、を備え、前記充電器は、新たにＳＳＩＤ及びパスワードを生成するＳＳＩＤパスワード生成部を有し、前記充電器が、ＵＳＢ接続された前記携帯通信端末及び前記モバイルルータに新たに生成したＳＳＩＤ及びパスワードをＵＳＢ通信によって送信し、前記携帯通信端末及び前記モバイルルータにおいて当該新たに生成したＳＳＩＤ及びパスワードをＷｉ-Ｆｉ通信に使用するＳＳＩＤ及びパスワードに設定するものである。
【０００８】
また、本発明は、ＵＳＢ接続端子を備え、ＵＳＢ接続が可能な携帯通信端末及び前記携帯通信端末とＷｉ-Ｆｉ通信しＵＳＢ接続が可能なモバイルルータを充電する充電器であって、前記携帯通信端末及び前記モバイルルータとのＵＳＢ通信の制御を行うＵＳＢ通信制御部と、Ｗｉ-Ｆｉ通信に使用するＳＳＩＤ及びパスワードを新たに生成するＳＳＩＤパスワード生成部と、を備え、前記携帯通信端末及び前記モバイルルータの少なくとも一方の機器が前記ＵＳＢ接続端子に接続された際に、前記ＵＳＢ通信制御部が、当該接続された機器に生成したＳＳＩＤ及びパスワードをＵＳＢ通信によって送信するものである。
【０００９】
さらに、本発明は、ＵＳＢ接続が可能な携帯通信端末と、前記携帯通信端末とＷｉ-Ｆｉ通信しＵＳＢ接続が可能なモバイルルータと、のＳＳＩＤ及びパスワードの変更に、ＵＳＢ接続端子を有しＵＳＢ接続された前記携帯通信端末及び前記モバイルルータを充電するとともに新たなＳＳＩＤ及びパスワードを生成することが可能な充電器を用いるＳＳＩＤパスワード変更方法であって、前記充電器において、新たにＳＳＩＤ及びパスワードを生成するステップと、前記充電器において、ＵＳＢ接続された前記携帯通信端末及び前記モバイルルータに新たに生成したＳＳＩＤ及びパスワードをＵＳＢ通信によって送信するステップと、前記携帯通信端末及び前記モバイルルータにおいて、当該新たに生成したＳＳＩＤ及びパスワードをＷｉ-Ｆｉ通信に使用するＳＳＩＤ及びパスワードに設定するステップと、を備えるものである。
【００１０】
さらに、本発明は、ＵＳＢ接続が可能な携帯通信端末と、前記携帯通信端末とＷｉ-Ｆｉ通信しＵＳＢ接続が可能なモバイルルータと、ＵＳＢ接続端子を有しＵＳＢ接続された前記携帯通信端末及び前記モバイルルータを充電するとともに新たなＳＳＩＤ及びパスワードを生成することが可能な充電器と、を備え、Ｗｉ-Ｆｉ通信に使用するＳＳＩＤ及びパスワードを変更するＳＳＩＤパスワード変更システムの制御プログラムであって、前記充電器において、新たにＳＳＩＤ及びパスワードを生成するステップと、前記充電器において、ＵＳＢ接続された前記携帯通信端末及び前記モバイルルータに新たに生成したＳＳＩＤ及びパスワードをＵＳＢ通信によって送信するステップと、前記携帯通信端末及び前記モバイルルータにおいて、当該新たに生成したＳＳＩＤ及びパスワードをＷｉ-Ｆｉ通信に使用するＳＳＩＤ及びパスワードに設定するステップと、をコンピュータに実行させるものである。
【発明の効果】
【００１１】
本発明によれば、ユーザの負担なくセキュリティー性の高い、Ｗｉ-Ｆｉ通信のＳＳＩＤ及びパスワード変更システムを提供できる。
【図面の簡単な説明】
【００１２】
【図１】本発明の概要について説明する図である。
【図２】本実施の形態にかかるＳＳＩＤパスワード変更システムにおけるＵＳＢ充電器の概略構成を示すブロック図である。
【図３】本実施の形態にかかるＳＳＩＤパスワード変更システムにおけるモバイルルータの概略構成を示すブロック図である。
【図４】本実施の形態にかかるＳＳＩＤパスワード変更システムにおけるスマートフォン／タブレットの概略構成を示すブロック図である。
【図５】ＵＳＢ充電器のＵＳＢ通信/充電切替部及びＵＳＢ通信/充電切替部においてＳＤＰとＤＣＰとで電源の種別を切り替えする処理の流れを示すフローチャートである。
【図６】モバイルルータのＵＳＢ通信/充電切替部においてＳＤＰとＤＣＰとで電源の種別を切り替えする処理の流れを示すフローチャートである。
【図７】ＳＳＩＤ及びパスワード変更システムにおいてＳＳＩＤ及びパスワードを変更する処理の流れを示すフローチャートである（モバイルルータ側の処理）。
【図８】ＳＳＩＤ及びパスワード変更システムにおいてＳＳＩＤ及びパスワードを変更する処理の流れを示すフローチャートである（スマートフォン／タブレット側の処理）。
【図９】ＳＳＩＤ及びパスワード変更システムにおいてＳＳＩＤ及びパスワードを変更する処理の流れを示すフローチャートである（モバイルルータとスマートフォン／タブレットとのやり取り）。
【図１０】モバイルルータにおいて、充電器から送信されてきたＵＳＢ送信データの内容を格納する処理の流れを示すフローチャートである。
【図１１】スマートフォン／タブレットにおいて、充電器から送信されてきたＵＳＢ送信テキストファイルの内容を格納する処理の流れを示すフローチャートである。
【図１２】モバイルルータとスマートフォン/タブレットとのそれぞれにおける、使用ｉｎｄｅｘ格納部、Ｗｉ-Ｆｉ_初期ＳＳＩＤパスワード格納部及びＷｉ-Ｆｉ_Ｎｏ．ｎ_ｉｎｄｅｘ新ＳＳＩＤパスワード格納部（ｎ＝１〜５）の入力状況の一例（格納部入力状況例１）を示す図である。
【図１３】ＵＳＢ充電器とモバイルルータとの間のＵＳＢ通信におけるＵＳＢ送信データのフォーマットの一例を示す図である。
【図１４】ＵＳＢ充電器とスマートフォン/タブレットとの間のＵＳＢ通信におけるＵＳＢ送信テキストファイルのフォーマットの一例を示す図である。
【図１５】モバイルルータ及びスマートフォン/タブレットの使用ｉｎｄｅｘ格納部、Ｗｉ-Ｆｉ_初期ＳＳＩＤパスワード格納部及びＷｉ-Ｆｉ_Ｎｏ．ｎ_ｉｎｄｅｘ新ＳＳＩＤパスワード格納部（ｎ＝１〜５）の入力状況の一例（格納部入力状況例２）を示す図である。
【発明を実施するための形態】
【００１３】
［本発明の特徴］
本発明の実施の形態の説明に先立って、本発明の特徴についてその概要をまず説明する。
【００１４】
図１は、本発明の概要について説明する図である。図１に示すように、本発明にかかる、Ｗｉ-Ｆｉ通信に使用するＳＳＩＤ及びパスワードを変更するＳＳＩＤパスワード変更システム５００は、携帯通信端末５１０と、モバイルルータ５２０と、充電器５３０と、を備えている。
【００１５】
携帯通信端末５１０は、ＵＳＢ（Ｕｎｉｖｅｒｓａｌ  Ｓｅｒｉａｌ  Ｂｕｓ）接続が可能である。モバイルルータ５２０は、携帯通信端末５１０とＷｉ-Ｆｉ通信し、ＵＳＢ接続が可能である。充電器５３０は、ＵＳＢ接続端子５３１を有しＵＳＢ接続された携帯通信端末５１０及びモバイルルータ５２０を充電する。また、充電器５３０は、新たにＳＳＩＤ及びパスワードを生成するＳＳＩＤパスワード生成部５３２を有する。
【００１６】
充電器５３０が、ＵＳＢ接続された携帯通信端末５１０及びモバイルルータ５２０に新たに生成したＳＳＩＤ及びパスワードをＵＳＢ通信によって送信し、携帯通信端末５１０及びモバイルルータ５２０において当該新たに生成したＳＳＩＤ及びパスワードをＷｉ-Ｆｉ通信に使用するＳＳＩＤ及びパスワードに設定する。
【００１７】
これにより、ユーザの負担なくセキュリティー性の高い、Ｗｉ-Ｆｉ通信のＳＳＩＤ及びパスワード変更システムを提供できる。
【００１８】
［実施の形態］
以下、図面を参照して本発明の実施の形態について説明する。
まず、本実施の形態にかかる、Ｗｉ-Ｆｉ通信のＳＳＩＤ及びパスワード変更システム４００の構成について説明する。ＳＳＩＤ及びパスワード変更システム４００は、ＵＳＢ充電器１００と、モバイルルータ２００と、スマートフォン／タブレット３００と、を有する。ＵＳＢ充電器１００とモバイルルータ２００とはＵＳＢ接続することが可能である。また、ＵＳＢ充電器１００とスマートフォン／タブレット３００とはＵＳＢ接続することが可能である。スマートフォン／タブレット３００は、携帯通信端末であり、スマートフォンやタブレットの他、Ｗｉ-Ｆｉ通信が可能でありＵＳＢ接続を介して充電されることが可能なノートＰＣ、ゲーム機器、オーディオ機器なども含まれる。なお、ＵＳＢは、２つの信号ライン（Ｄ＋とＤ−）と、電源ライン（Ｖｂｕｓ）と、グランドライン（ＧＮＤ）と、の４本のラインを有する。Ｖｂｕｓには、ＧＮＤを基準とする５Ｖの電圧が印加される。
【００１９】
図２は、ＵＳＢ充電器１００の概略構成を示すブロック図である。図２に示すように、ＵＳＢ充電器１００は、タイマー部１と、Ｗｉ-Ｆｉ_ｉｎｄｅｘ新ＳＳＩＤパスワード生成部２と、テキストファイル生成部３と、ＵＳＢ通信制御部１０４と、ＵＳＢ通信/充電切替部４およびＵＳＢ通信/充電切替部５と、５Ｖレギュレータ６と、交流直流変換回路７と、１００Ｖプラグ８と、ＵＳＢプラグ９と、ＵＳＢプラグ１０と、ＵＳＢ充電器全体制御部８０と、を備えている。
【００２０】
タイマー部１は、一定時間経過するとパルスを発生させる。Ｗｉ-Ｆｉ_ｉｎｄｅｘ新ＳＳＩＤパスワード生成部２は、タイマー部１からパルス信号が来た場合にインデックス（ｉｎｄｅｘ）をカウントアップさせＷｉ-Ｆｉ通信のＳＳＩＤ及びパスワードを新たに生成する。
【００２１】
テキストファイル生成部３は、Ｗｉ-Ｆｉ_ｉｎｄｅｘ新ＳＳＩＤパスワード生成部２で生成されたｉｎｄｅｘ、ＳＳＩＤ及びパスワードからなるＵＳＢ送信データからテキストファイル（ＵＳＢテキストファイル）を生成する。ＵＳＢ通信制御部１０４は、ＵＳＢホスト機能を持ち、モバイルルータ２００とのＵＳＢ通信及びスマートフォン／タブレット３００とのＵＳＢ通信を制御する。スマートフォン/タブレットでは、一般的にＵＳＢ通信においてテキストファイルや画像ファイルでのやり取りしかサポートしていない。このようなスマートフォン/タブレットでも、Ｗｉ-Ｆｉ_ｉｎｄｅｘ新ＳＳＩＤパスワード生成部２で生成されたｉｎｄｅｘ、ＳＳＩＤ及びパスワードからなるＵＳＢ送信データをテキストファイル生成部３によりＵＳＢ送信テキストファイルに変換することで、ＳＳＩＤ及びパスワードのやり取りをＵＳＢ通信で行うことができる。
【００２２】
ＵＳＢ通信/充電切替部４およびＵＳＢ通信/充電切替部５は、ＳＤＰ(Ｓｔａｎｄａｒｄ  Ｄｏｗｎｓｔｒｅａｍ  Ｐｏｒｔ)とＤＣＰ(Ｄｅｄｉｃａｔｅｄ  Ｃｈａｒｇｉｎｇ  Ｐｏｒｔ)とで電源の種別を切り替えすることにより、ＵＳＢ通信と１．５Ａ充電とを切り替える。ＵＳＢ通信/充電切替部４およびＵＳＢ通信/充電切替部５は、モバイルルータやスマートフォン/タブレットなどのＵＳＢデバイスを接続すると、まず、ＵＳＢに５Ｖ電圧を印加してＵＳＢ通信制御部１０４を介してＵＳＢ通信を開始する。そして、ＵＳＢ通信が完了すると一旦、ＵＳＢへの５Ｖ電圧の印加を停止し、ＵＳＢのＤ＋とＤ−とを短絡させる。２秒経過した後、モバイルルータやスマートフォン/タブレットの充電のため、再びＵＳＢに５Ｖ電圧を印加する。なお、ＵＳＢ通信/充電切替部４およびＵＳＢ通信/充電切替部５において、ＳＤＰとＤＣＰとで電源の種別を切り替えする処理の流れについては後述する。
【００２３】
５Ｖレギュレータ６は、ＵＳＢ充電器１００の全体に電力を供給するとともに、ＵＳＢの５Ｖラインに所定の電流を供給する。交流直流変換回路７は、１００Ｖの交流電流を５Ｖの直流電流に変換し５Ｖレギュレータ６に送る。１００Ｖプラグ８は、家庭用コンセントに差し込んでコンセントから交流直流変換回路７に１００Ｖを供給する。ＵＳＢプラグ９は、ＵＳＢ通信/充電切替部４からＵＳＢを接続する。ＵＳＢプラグ１０は、ＵＳＢ対応機器を接続するためのプラグで、２つの信号端子（Ｄ＋とＤ−）と、電源端子（Ｖｂｕｓ）と、グランド端子（ＧＮＤ）と、を有し、ＵＳＢ通信/充電切替部５に接続されている。ＵＳＢ充電器全体制御部８０は、ＵＳＢ充電器１００の動作の全般について制御する。
【００２４】
図３は、モバイルルータ２００の概略構成を示すブロック図である。モバイルルータ２００は、ＵＳＢコネクタ１１と、充電池１２と、充電回路部１３と、５Ｖ印加判定回路１４と、ＵＳＢ通信/充電切替部１５と、モバイルルータＵＳＢ_ＩＤ格納部１６と、ＵＳＢ通信制御部１７と、不揮発メモリ１８と、制御プログラム１９と、Ｗｉ-Ｆｉ初期ＳＳＩＤパスワード格納部２０と、使用ｉｎｄｅｘ格納部２６と、Ｗｉ-Ｆｉアンテナ２７と、Ｗｉ-Ｆｉ送受信部２８と、Ｗｉ-Ｆｉ制御部２９と、移動通信アンテナ３０と、移動通信送受信部３１と、移動通信制御部３２と、ＳＳＩＤパスワード切替制御部８１と、を備えている。
【００２５】
また、モバイルルータ２００は、第１格納部としての、Ｗｉ-Ｆｉ_Ｎｏ．１_ｉｎｄｅｘ新ＳＳＩＤパスワード格納部２１、Ｗｉ-Ｆｉ_Ｎｏ．２_ｉｎｄｅｘ新ＳＳＩＤパスワード格納部２２、Ｗｉ-Ｆｉ_Ｎｏ．３_ｉｎｄｅｘ新ＳＳＩＤパスワード格納部２３、Ｗｉ-Ｆｉ_Ｎｏ．４_ｉｎｄｅｘ新ＳＳＩＤパスワード格納部２４及びＷｉ-Ｆｉ_Ｎｏ．５_ｉｎｄｅｘ新ＳＳＩＤパスワード格納部２５（以下、「Ｗｉ-Ｆｉ_Ｎｏ．１_ｉｎｄｅｘ新ＳＳＩＤパスワード格納部２１〜Ｗｉ-Ｆｉ_Ｎｏ．５_ｉｎｄｅｘ新ＳＳＩＤパスワード格納部２５」または、「モバイルルータ２００のＷｉ-Ｆｉ_Ｎｏ．ｎ_ｉｎｄｅｘ新ＳＳＩＤパスワード格納部（ｎ＝１〜５）」の様に記載する）を備えている。
【００２６】
ＵＳＢコネクタ１１は、ＵＳＢ充電器１００のＵＳＢプラグ９と接続するための端子である。充電池１２は、モバイルルータ全体に電力を供給することが可能で、充電回路部１３によって電流が供給され充電される。充電回路部１３は、ＵＳＢコネクタ１１を介して充電器１００から５Ｖ電圧が供給され充電池１２の充電を行う。５Ｖ印加判定回路１４は、ＵＳＢコネクタ１１を介して充電器１００から５Ｖ電圧が印加されたか否かを判定する。
【００２７】
ＵＳＢ通信/充電切替部１５は、ＵＳＢのデータラインであるＤ＋とＤ−とが短絡しているか否かを判定するＤ＋／Ｄ−短絡判定回路とＵＳＢ通信のためのＵＳＢ通信回路とを有する。ＵＳＢ通信/充電切替部１５は、Ｄ＋／Ｄ−短絡判定回路によりＵＳＢのデータラインであるＤ＋とＤ−とが、短絡しているか否かを判断し、ＵＳＢ通信と１．５Ａ充電とを切り替える。
【００２８】
モバイルルータＵＳＢ_ＩＤ格納部１６は、ＵＳＢコネクタ１１を介してＵＳＢ通信によりＵＳＢ充電器１００に通知するモバイルルータ２００のＵＳＢ_ＩＤを格納する。ＵＳＢ通信制御部１７は、ＵＳＢ充電器のＵＳＢ通信制御部１０４とＵＳＢ通信する。不揮発メモリ１８は、モバイルルータ内のプログラム、データを保存する。制御プログラム１９は、不揮発メモリ内に格納されＷｉ-Ｆｉ、ＵＳＢや移動通信の制御を行う。
【００２９】
Ｗｉ-Ｆｉ初期ＳＳＩＤパスワード格納部２０は、Ｗｉ-Ｆｉ通信時に使用されるＳＳＩＤとパスワードの初期値が格納されている。Ｗｉ-Ｆｉ_Ｎｏ．１_ｉｎｄｅｘ新ＳＳＩＤパスワード格納部２１〜Ｗｉ-Ｆｉ_Ｎｏ．５_ｉｎｄｅｘ新ＳＳＩＤパスワード格納部２５は、Ｗｉ-Ｆｉ通信時に使用されるＳＳＩＤ及びパスワード（既に定義済みのものまたはＷｉ-Ｆｉ_ｉｎｄｅｘ新ＳＳＩＤパスワード生成部２が新たに生成したユニークなもの）をｉｎｄｅｘと対応付けて格納する。
【００３０】
また、充電器１００から送信されてきたＵＳＢ送信データのｉｎｄｅｘ、ＳＳＩＤ及びパスワードは、Ｗｉ-Ｆｉ_Ｎｏ．１_ｉｎｄｅｘ新ＳＳＩＤパスワード格納部２１〜Ｗｉ-Ｆｉ_Ｎｏ．５_ｉｎｄｅｘ新ＳＳＩＤパスワード格納部２５のいずれかに格納される。なお、当該格納する処理の詳細については後述する。
【００３１】
使用ｉｎｄｅｘ格納部２６は、Ｗｉ-Ｆｉ通信において使用しているＳＳＩＤ及びパスワードに対応するｉｎｄｅｘを記録する。Ｗｉ-Ｆｉアンテナ２７は、Ｗｉ-Ｆｉ通信の電波を送受信する。Ｗｉ-Ｆｉ送受信部２８は、Ｗｉ-Ｆｉアンテナ２７に信号を送受信する。
【００３２】
Ｗｉ-Ｆｉ制御部２９は、Ｗｉ-Ｆｉ初期ＳＳＩＤパスワード格納部２０およびＷｉ-Ｆｉ_Ｎｏ．１_ｉｎｄｅｘ新ＳＳＩＤパスワード格納部２１〜Ｗｉ-Ｆｉ_Ｎｏ．５_ｉｎｄｅｘ新ＳＳＩＤパスワード格納部２５のいずれかに格納されたＳＳＩＤ及びパスワードを利用してＷｉ-Ｆｉ通信を行う。移動通信アンテナ３０は、インターネットに接続可能な基地局８２の移動通信の電波を送受信する。移動通信送受信部３１は、移動通信アンテナ３０に信号を送受信することができる。移動通信制御部３２は、移動通信送受信部３１で移動通信を行う。ＳＳＩＤパスワード切替制御部８１は、ＳＳＩＤ及びパスワードの切り替えを制御する。なお、ＳＳＩＤパスワード切替制御部８１による、具体的なＳＳＩＤ及びパスワードの切り替え処理の詳細については後述する。
【００３３】
図４は、スマートフォン／タブレット３００の概略構成を示すブロック図である。図４に示すように、スマートフォン／タブレット３００は、ＵＳＢコネクタ３３と、充電回路部３４と、５Ｖ印加判定回路３５と、ＵＳＢ通信/充電切替部３６と、充電池３７と、スマートフォン/タブレットＵＳＢ_ＩＤ格納部３８と、ＵＳＢ通信制御部３９と、不揮発メモリ４０と、制御プログラム４１と、使用ｉｎｄｅｘ格納部４２と、Ｗｉ-Ｆｉ初期ＳＳＩＤパスワード格納部４３と、Ｗｉ-Ｆｉアンテナ４９と、Ｗｉ-Ｆｉ送受信部５０と、Ｗｉ-Ｆｉ制御部５１と、テキスト格納部５２と、を備えている。
【００３４】
また、スマートフォン／タブレット３００は、第２格納部である、Ｗｉ-Ｆｉ_Ｎｏ．１_ｉｎｄｅｘ新ＳＳＩＤパスワード格納部４４、Ｗｉ-Ｆｉ_Ｎｏ．２_ｉｎｄｅｘ新ＳＳＩＤパスワード格納部４５、Ｗｉ-Ｆｉ_Ｎｏ．３_ｉｎｄｅｘ新ＳＳＩＤパスワード格納部４６、Ｗｉ-Ｆｉ_Ｎｏ．４_ｉｎｄｅｘ新ＳＳＩＤパスワード格納部４７及びＷｉ-Ｆｉ_Ｎｏ．５_ｉｎｄｅｘ新ＳＳＩＤパスワード格納部４８（以下、「Ｗｉ-Ｆｉ_Ｎｏ．１_ｉｎｄｅｘ新ＳＳＩＤパスワード格納部４４〜Ｗｉ-Ｆｉ_Ｎｏ．５_ｉｎｄｅｘ新ＳＳＩＤパスワード格納部４８」または、「スマートフォン／タブレット３００のＷｉ-Ｆｉ_Ｎｏ．ｎ_ｉｎｄｅｘ新ＳＳＩＤパスワード格納部（ｎ＝１〜５）」の様に記載する）を備えている。
【００３５】
ＵＳＢコネクタ３３は、ＵＳＢプラグ１０と接続することが可能である。充電池３７は、モバイルルータ全体に電力を供給することが可能で、充電回路部３４によって電流が供給され充電される。充電回路部３４は、ＵＳＢコネクタ３３を介して充電器１００から５Ｖ電圧が供給され充電池３７の充電を行う。５Ｖ印加判定回路３５は、ＵＳＢコネクタ３３を介して充電器１００から５Ｖ電圧が印加されたか否か判定する。
【００３６】
ＵＳＢ通信/充電切替部３６は、ＵＳＢのデータラインであるＤ＋とＤ−とが短絡しているか否かを判定するＤ＋／Ｄ−短絡判定回路とＵＳＢ通信のためのＵＳＢ通信回路とを有する。ＵＳＢ通信/充電切替部３６は、Ｄ＋／Ｄ−短絡判定回路によりＵＳＢのデータラインであるＤ＋とＤ−とが、短絡しているか否かを判断し、ＵＳＢ通信と１．５Ａ充電とを切り替える。
【００３７】
スマートフォン/タブレットＵＳＢ_ＩＤ格納部３８は、ＵＳＢコネクタ３３を介してＵＳＢ通信によりＵＳＢ充電器１００に通知するモバイルルータのＵＳＢ_ＩＤを格納する。ＵＳＢ通信制御部３９は、ＵＳＢ充電器のＵＳＢ通信制御部１０４とＵＳＢ通信する。不揮発メモリ４０は、スマートフォン/タブレット内のプログラム、データを保存する。制御プログラム４１は、不揮発メモリ内に格納されＷｉ-Ｆｉ、ＵＳＢや移動通信の制御を行う。
【００３８】
Ｗｉ-Ｆｉ初期ＳＳＩＤパスワード格納部４３は、Ｗｉ-Ｆｉ通信時に使用されるＳＳＩＤとパスワードの初期値が格納されている。Ｗｉ-Ｆｉ_Ｎｏ．１_ｉｎｄｅｘ新ＳＳＩＤパスワード格納部４４〜Ｗｉ-Ｆｉ_Ｎｏ．５_ｉｎｄｅｘ新ＳＳＩＤパスワード格納部４８は、第２格納部に相当し、Ｗｉ-Ｆｉ通信時に使用されるＳＳＩＤ及びパスワード（既に定義済みのものまたはＷｉ-Ｆｉ_ｉｎｄｅｘ新ＳＳＩＤパスワード生成部２が新たに生成したユニークなもの）をｉｎｄｅｘと対応付けて格納する。
【００３９】
また、充電器１００から送信されてきたＵＳＢ送信テキストファイルのｉｎｄｅｘ、ＳＳＩＤ及びパスワードは、Ｗｉ-Ｆｉ_Ｎｏ．１_ｉｎｄｅｘ新ＳＳＩＤパスワード格納部４４〜Ｗｉ-Ｆｉ_Ｎｏ．５_ｉｎｄｅｘ新ＳＳＩＤパスワード格納部４８のいずれかに格納される。なお、当該格納する処理の詳細については後述する。
【００４０】
使用ｉｎｄｅｘ格納部４２は、Ｗｉ-Ｆｉ通信において使用しているＳＳＩＤ及びパスワードに対応するｉｎｄｅｘを記録する。Ｗｉ-Ｆｉアンテナ４９は、Ｗｉ-Ｆｉの電波を送受信する。Ｗｉ-Ｆｉ送受信部５０は、Ｗｉ-Ｆｉアンテナ４９に信号を送受信する。
【００４１】
Ｗｉ-Ｆｉ制御部５１は、Ｗｉ-Ｆｉ初期ＳＳＩＤパスワード格納部４３およびＷｉ-Ｆｉ_Ｎｏ．１_ｉｎｄｅｘ新ＳＳＩＤパスワード格納部４４〜Ｗｉ-Ｆｉ_Ｎｏ．５_ｉｎｄｅｘ新ＳＳＩＤパスワード格納部４８のいずれかを利用してＷｉ-Ｆｉ通信を行う。テキスト格納部５２は、ＵＳＢ充電器１００から送信されたテキストファイルを格納する。
【００４２】
ＵＳＢを用いた充電を規定するための仕様であるＵＳＢ  ＢＣ１．１では、ＣＤＰ(Ｃｈａｒｇｉｎｇ  Ｄｏｗｎｓｔｒｅａｍ  Ｐｏｒｔ)、ＳＤＰ(Ｓｔａｎｄａｒｄ  Ｄｏｗｎｓｔｒｅａｍ  Ｐｏｒｔ)、及びＤＣＰ(Ｄｅｄｉｃａｔｅｄ  Ｃｈａｒｇｉｎｇ  Ｐｏｒｔ)の３種類の電源の種別が定義されている。電源の種別がＣＤＰの場合、充電とともにＵＳＢ通信を行うことも可能であり、最大充電電流は１．５Ａである。電源の種別がＳＤＰの場合、充電とともにＵＳＢ通信を行うことも可能であるが、最大充電電流は０．５Ａである。電源の種別がＤＣＰの場合、ＵＳＢ通信はできないが、最大充電電流は１．５Ａである。なお、ＤＣＰは、ＵＳＢのデータラインであるＤ＋とＤ−とが短絡されているか否かによって識別される。ＵＳＢ充電器１００は、ＵＳＢ通信/充電切替部４及びＵＳＢ通信/充電切替部５によりＳＤＰとＤＣＰとで電源の種別を切り替えすることができる。
【００４３】
ＵＳＢ通信/充電切替部４及びＵＳＢ通信/充電切替部５においてＳＤＰとＤＣＰとで電源の種別を切り替えする処理の流れについて以下で説明する。
図５は、ＵＳＢ通信/充電切替部４及びＵＳＢ通信/充電切替部５においてＳＤＰとＤＣＰとで電源の種別を切り替えする処理の流れを示すフローチャートである。なお、以下の説明において図２、図３及び図４を適宜参照する。図５に示すように、まず、ＵＳＢ充電方式をＳＤＰに設定し、通信回路に接続する（ステップＳ１）。
【００４４】
ステップＳ１に続き、ＵＳＢに５Ｖ電圧の印加を行い（ステップＳ２）、ＵＳＢデバイスの接続を監視する（ステップＳ３）。ＵＳＢデバイスが接続されたら通信設定を実施し（ステップＳ４）、ＵＳＢ通信を実施する（ステップＳ５）。ＵＳＢ通信が完了したら（ステップＳ６）、５Ｖ印加を停止する（ステップＳ７）。
【００４５】
ステップＳ７に続き、ＵＳＢ充電方式をＤＣＰに設定し、ＵＳＢのデータラインであるＤ＋とＤ−とを短絡する（ステップＳ８）。次に、５Ｖ電圧の印加を行い（ステップＳ９）、１０分間待機する（ステップＳ１０）。ステップＳ１０で１０分間経過した後、５Ｖ電圧の印加を停止し（ステップＳ１１）、処理をステップＳ１に戻す。ステップＳ１からステップＳ１１の処理を繰り返す。
【００４６】
スマートフォン/タブレットには、ＳＤＰとＤＣＰをサポートしても、ＣＤＰをサポートしていない機器も多く存在する。そのようなスマートフォン/タブレットでも、充電器１００がＵＳＢ通信/充電切替部４及びＵＳＢ通信/充電切替部５を備えることにより、充電中にＳＳＩＤ及びパスワードのやり取りに必要なＵＳＢ通信を行うことができるとともに、ＵＳＢ通信が完了した後、充電電流を１.５Ａに切り替えることで充電に要する時間を短縮することができる。
【００４７】
モバイルルータ２００のＵＳＢ通信/充電切替部１５及びスマートフォン/タブレット３００のＵＳＢ通信/充電切替部３６においてＳＤＰとＤＣＰとで電源の種別を切り替えする処理の流れについて以下で説明する。なお、ＵＳＢ通信/充電切替部１５とＵＳＢ通信/充電切替部３６とは処理の流れが同じであるので、ＵＳＢ通信/充電切替部１５について説明する。
図６は、ＵＳＢ通信/充電切替部１５においてＳＤＰとＤＣＰとで電源の種別を切り替えする処理の流れを示すフローチャートである。なお、以下の説明において図２、図３及び図４を適宜参照する。図６に示すように、まず、５Ｖ印加判定回路１４により５Ｖ電圧が検出されるのを監視し（ステップＳ１３）、５Ｖ電圧が検出されたらＵＳＢ通信/充電切替部１５のＤ＋／Ｄ−ショート判定回路によりＵＳＢコネクタ１１に接続されたＵＳＢデバイス（ここでは充電器１００）がＤＣＰとＳＤＰのいずれであるかを判定する（ステップＳ１４）。ステップＳ１４でＵＳＢデバイスがＳＤＰであると判定された場合、ＵＳＢ通信/充電切替部１５が充電回路部１３の充電電流を０.５Ａに設定し（ステップＳ１５）、ＵＳＢ通信/充電切替部１５をＵＳＢ通信回路で動作させてＵＳＢ通信を実施する（ステップＳ１６）。ＵＳＢ通信が完了し（ステップＳ１７）、５Ｖ印加判定回路１４により５Ｖ電圧が検出されなくなったら（ステップＳ１８）、ステップＳ１３に処理を戻す。
【００４８】
ステップＳ１４でＵＳＢデバイスがＤＣＰであると判定された場合、ＵＳＢ通信/充電切替部１５が充電回路部１３の充電電流を１.５Ａに設定し（ステップＳ１９）、５Ｖ印加判定回路１４により５Ｖ電圧が検出されなくなったら（ステップＳ１８）、ステップＳ１３に処理を戻す。
【００４９】
なお、上述したＵＳＢ通信/充電切替部１５におけるＵＳＢ通信と充電との切り替えする処理の流れの説明において、ＵＳＢ通信/充電切替部１５をＵＳＢ通信/充電切替部３６に、５Ｖ印加判定回路１４を５Ｖ印加判定回路３５に、ＵＳＢコネクタ１１をＵＳＢコネクタ３３に、充電回路部１３を充電回路部３４に置き換えればＵＳＢ通信/充電切替部３６においてＳＤＰとＤＣＰとで電源の種別を切り替えする処理の流れとなる。
【００５０】
次に、Ｗｉ-Ｆｉ通信のＳＳＩＤ及びパスワード変更システム４００においてＳＳＩＤ及びパスワードを変更する動作について以下で説明する。なお、以下の説明において図２、図３及び図４を適宜参照する。
ユーザがＵＳＢ充電器１００の１００Ｖプラグ８を１００Ｖコンセントに接続すると、ＵＳＢ充電器１００の各ブロックには交流直流変換回路７及び５Ｖレギュレータ６を経由して電源が供給される。ＵＳＢ充電器１００の各ブロックに電源が供給された直後、Ｗｉ-Ｆｉ_ｉｎｄｅｘ新ＳＳＩＤパスワード生成部２において、ｉｎｄｅｘがカウントアップされ、Ｗｉ-Ｆｉ通信のためのユニークなＳＳＩＤ及びパスワードが生成される。
【００５１】
タイマー部１は一定時間（例えば、２４時間）経過するごとにパルス信号を発生させる。このパルス信号がＷｉ-Ｆｉ_ｉｎｄｅｘ新ＳＳＩＤパスワード生成部２に伝達されると、Ｗｉ-Ｆｉ_ｉｎｄｅｘ新ＳＳＩＤパスワード生成部２では、ｉｎｄｅｘ値を１カウントアップさせ、Ｗｉ-Ｆｉ通信のためのユニークなＳＳＩＤ及びパスワードを生成する。上記パスワードの具体的な生成方法は、例えば、パスワードの初期値がａｂｓｐｆｔｕａだった場合、パスワードのすべての文字をＡＢＣ順の次の文字に変え、ｂｃｔｑｇｕｘｂとする。また、ＳＳＩＤもパスワードと同様の方法で生成される。
【００５２】
Ｗｉ-Ｆｉ_ｉｎｄｅｘ新ＳＳＩＤパスワード生成部２で生成されたｉｎｄｅｘ、ＳＳＩＤ及びパスワードは、ＵＳＢ充電器１００のＵＳＢ通信制御部１０４により、ＵＳＢ通信によってモバイルルータ２００及びスマートフォン/タブレット３００へと送信される。スマートフォン/タブレット３００に送信する場合、Ｗｉ-Ｆｉ_ｉｎｄｅｘ新ＳＳＩＤパスワード生成部２で生成されたｉｎｄｅｘ、ＳＳＩＤ及びパスワードからなるＵＳＢ送信データを、テキストファイル生成部３においてテキスト形式のファイル（ＵＳＢ送信テキストファイル）に変換してから送信する。
【００５３】
例えば、Ｗｉ-Ｆｉ_ｉｎｄｅｘ新ＳＳＩＤパスワード生成部２において、ｉｎｄｅｘ＝２、ＳＳＩＤ＝ｂｃｔｑｇｕｘｂ、パスワード＝ｅｄｆｇｓ４５８ｉｆｇｔが生成されたとする。このときにモバイルルータ２００のＵＳＢコネクタ１１がＵＳＢ充電器１００のＵＳＢプラグ９に接続されると、ＵＳＢ充電器１００のＵＳＢ通信／充電切替部４は、５Ｖ電圧を印加するとともに、ＵＳＢ通信回路側で動作する。モバイルルータ２００の５Ｖ印加判定回路１４では、充電器１００による５Ｖ電圧の印加を検出する。また、ＵＳＢ通信／充電切替部１５のＤ＋／Ｄ−ショート判定回路では、ＵＳＢのデータラインであるＤ＋とＤ−とが短絡されていないと判定する。これにより、ＵＳＢ通信を開始する。
【００５４】
ＵＳＢ通信を開始した後、モバイルルータ２００のＵＳＢ_ＩＤ格納部１６に格納されたＵＳＢ_ＩＤの値をＵＳＢ充電器１００に通知する。これにより、充電器１００では、ＵＳＢ接続されているのがモバイルルータ２００であることを認識できる。モバイルルータ２００では、ＵＳＢ通信にて充電器１００から送信されてきたｉｎｄｅｘ、ＳＳＩＤ及びパスワードは、Ｗｉ-Ｆｉ_Ｎｏ．１_ｉｎｄｅｘ新ＳＳＩＤパスワード格納部２１〜Ｗｉ-Ｆｉ_Ｎｏ．５_ｉｎｄｅｘ新ＳＳＩＤパスワード格納部２５のうちのいずれかに格納される。この送信されてきたｉｎｄｅｘ、ＳＳＩＤ及びパスワードは、モバイルルータ２００のＷｉ-Ｆｉ_Ｎｏ．ｎ_ｉｎｄｅｘ新ＳＳＩＤパスワード格納部（ｎ＝１〜５）のうち、何も入力されていないものがあれば、その中でｎの数字が最も小さいものに格納される。また、この送信されてきたｉｎｄｅｘ、ＳＳＩＤ及びパスワードは、モバイルルータ２００のＷｉ-Ｆｉ_Ｎｏ．ｎ_ｉｎｄｅｘ新ＳＳＩＤパスワード格納部（ｎ＝１〜５）のうち、何も入力されていないものがなければ、使用ｉｎｄｅｘ格納部２６でｉｎｄｅｘが使用されていないもの中で格納されているｉｎｄｅｘの値が最も小さいものに格納（上書き）される。例えば、モバイルルータ２００のＷｉ-Ｆｉ_Ｎｏ．ｎ_ｉｎｄｅｘ新ＳＳＩＤパスワード格納部（ｎ＝１〜５）のいずれにも入力がされていなければ、充電器１００から送信されてきたｉｎｄｅｘ、ＳＳＩＤ及びパスワードはＷｉ-Ｆｉ_Ｎｏ．１_ｉｎｄｅｘ新ＳＳＩＤパスワード格納部２１に格納される。
【００５５】
必要なＵＳＢ通信が完了すると、ＵＳＢ通信/充電切替部４は、５Ｖ電圧の印加を一旦停止し、ＵＳＢのデータラインであるＤ＋とＤ−を短絡させ、再度５Ｖ電圧を印加する。モバイルルータ２００の５Ｖ印加判定回路１４において５Ｖ電圧の印加が検出され、かつ、ＵＳＢ通信/充電切替部１５のＤ＋／Ｄ−ショート判定回路においてＵＳＢのデータラインであるＤ＋とＤ−とが短絡していると判断された後、充電回路部１３が１.５Ａ充電を開始する。
【００５６】
ＵＳＢ充電器１００のＵＳＢプラグ１０にスマートフォン/タブレット３００のＵＳＢコネクタ３３を接続すると、ＵＳＢ充電器１００では、ＵＳＢ通信／充電切替部５が５Ｖ電圧を印加するとともにＵＳＢ通信回路側で動作する。スマートフォン/タブレット３００の５Ｖ印加判定回路３５では、充電器１００による５Ｖ電圧の印加を検出し、ＵＳＢ通信／充電切替部３６のＤ＋／Ｄ−ショート判定回路によりＵＳＢのデータラインであるＤ＋とＤ−とが短絡していないことを判定し、ＵＳＢ通信を開始する。
【００５７】
ＵＳＢ通信の開始後、スマートフォン/タブレット３００のＵＳＢ_ＩＤ格納部３８に格納されたＵＳＢ_ＩＤの値をＵＳＢ充電器１００に通知する。これにより、充電器１００では、ＵＳＢ接続されているのがスマートフォン/タブレット３００であることを認識できる。スマートフォン/タブレット３００では、ＵＳＢ通信にて充電器１００から送信されてきたｉｎｄｅｘ、ＳＳＩＤ及びパスワードを有するテキストファイルは、テキスト格納部５２に格納される。このテキストファイルからｉｎｄｅｘ、ＳＳＩＤ及びパスワードが抽出され、Ｗｉ-Ｆｉ_Ｎｏ．１_ｉｎｄｅｘ新ＳＳＩＤパスワード格納部４４〜Ｗｉ-Ｆｉ_Ｎｏ．５_ｉｎｄｅｘ新ＳＳＩＤパスワード格納部４８のうちのいずれかに格納される。抽出されたｉｎｄｅｘ、ＳＳＩＤ及びパスワードは、スマートフォン/タブレット３００のＷｉ-Ｆｉ_Ｎｏ．ｎ_ｉｎｄｅｘ新ＳＳＩＤパスワード格納部（ｎ＝１〜５）のうち、何も入力されていないものがあれば、その中で格納されているｉｎｄｅｘの値が最も小さいものにｉｎｄｅｘ、ＳＳＩＤ及びパスワードが格納される。また、抽出されたｉｎｄｅｘ、ＳＳＩＤ及びパスワードは、スマートフォン/タブレット３００のＷｉ-Ｆｉ_Ｎｏ．ｎ_ｉｎｄｅｘ新ＳＳＩＤパスワード格納部（ｎ＝１〜５）のうち、何も入力されていないものがなければ、使用ｉｎｄｅｘ格納部４２でｉｎｄｅｘが使用されていないもの中でｎの数字が最も小さいものに格納（上書き）される。例えば、スマートフォン/タブレット３００のＷｉ-Ｆｉ_Ｎｏ．ｎ_ｉｎｄｅｘ新ＳＳＩＤパスワード格納部（ｎ＝１〜５）のいずれにも入力がされていなければ、Ｗｉ-Ｆｉ_Ｎｏ．１_ｉｎｄｅｘ新ＳＳＩＤパスワード格納部４４に格納される。
【００５８】
必要なＵＳＢ通信が完了すると、ＵＳＢ通信/充電切替部５は、５Ｖ電圧の印加を一旦停止し、ＵＳＢのデータラインであるＤ＋とＤ−を短絡させ、再度５Ｖ電圧を印加する。モバイルルータ２００の５Ｖ印加判定回路３５において５Ｖ電圧の印加が検出され、かつ、ＵＳＢ通信/充電切替部３６のＤ＋／Ｄ−ショート判定回路においてＵＳＢのデータラインであるＤ＋とＤ−とが短絡していると判断された後、充電回路部３４が１.５Ａ充電を開始する。
【００５９】
モバイルルータ２００のＷｉ-Ｆｉ初期ＳＳＩＤパスワード格納部２０と、スマートフォン/タブレット３００のＷｉ-Ｆｉ初期ＳＳＩＤパスワード格納部４３と、はあらかじめＳＳＩＤ及びパスワードが一致している。このため、モバイルルータ２００において、使用ｉｎｄｅｘ格納部２６にｉｎｄｅｘの値が入力されていない場合には、モバイルルータ２００ではＷｉ-Ｆｉ初期ＳＳＩＤパスワード格納部２０に格納されたＳＳＩＤ及びパスワードを使用し、スマートフォン/タブレット３００ではＷｉ-Ｆｉ初期ＳＳＩＤパスワード格納部４３を使用してＷｉ-Ｆｉ通信を行う。また、スマートフォン/タブレット３００においても、Ｗｉ-Ｆｉ初期ＳＳＩＤパスワード格納部４３を使用してＷｉ-Ｆｉ通信を行う。
【００６０】
Ｗｉ-Ｆｉ通信において、モバイルルータ２００はスマートフォン/タブレット３００に対して、スマートフォン/タブレット３００のＷｉ-Ｆｉ_Ｎｏ．１_ｉｎｄｅｘ新ＳＳＩＤパスワード格納部４４〜Ｗｉ-Ｆｉ_Ｎｏ．５_ｉｎｄｅｘ新ＳＳＩＤパスワード格納部４８に格納されているｉｎｄｅｘの問い合わせを行う。この問い合わせに対し、スマートフォン/タブレット３００は、Ｗｉ-Ｆｉ_Ｎｏ．１_ｉｎｄｅｘ新ＳＳＩＤパスワード格納部４４〜Ｗｉ-Ｆｉ_Ｎｏ．５_ｉｎｄｅｘ新ＳＳＩＤパスワード格納部４８に格納されているｉｎｄｅｘをＷｉ-Ｆｉ通信によってモバイルルータ２００に通知する。なお、Ｗｉ-Ｆｉ通信を介して通知するのはｉｎｄｅｘのみなので、第三者によりＳＳＩＤ及びパスワードが傍受される危険性は極めて低い。
【００６１】
例えば、Ｗｉ-Ｆｉ_ｉｎｄｅｘ新ＳＳＩＤパスワード生成部２で新たに生成したｉｎｄｅｘ＝２、ＳＳＩＤ＝ｂｃｔｑｇｕｘｂ、パスワード＝ｅｄｆｇｓ４５８ｉｆｇｔが、スマートフォン/タブレット３００のＷｉ-Ｆｉ_Ｎｏ．１_ｉｎｄｅｘ新ＳＳＩＤパスワード格納部４４に格納されているとする。また、Ｗｉ-Ｆｉ_Ｎｏ．２_ｉｎｄｅｘ新ＳＳＩＤパスワード格納部４５〜Ｗｉ-Ｆｉ_Ｎｏ．５_ｉｎｄｅｘ新ＳＳＩＤパスワード格納部４８には何も入力されていないとする。Ｗｉ-Ｆｉ通信において、スマートフォン/タブレット３００はモバイルルータ２００に対し、ｉｎｄｅｘ＝２を通知する。
【００６２】
モバイルルータ２００において、スマートフォン/タブレット３００から通知されたｉｎｄｅｘと、Ｗｉ-Ｆｉ_Ｎｏ．１_ｉｎｄｅｘ新ＳＳＩＤパスワード格納部２１〜Ｗｉ-Ｆｉ_Ｎｏ．５_ｉｎｄｅｘ新ＳＳＩＤパスワード格納部２５内に格納されたｉｎｄｅｘと、を照合する。例えば、Ｗｉ-Ｆｉ_ｉｎｄｅｘ新ＳＳＩＤパスワード生成部２で新たに生成したｉｎｄｅｘ＝２、ＳＳＩＤ＝ｂｃｔｑｇｕｘｂ、パスワード＝ｅｄｆｇｓ４５８ｉｆｇｔが、モバイルルータ２００のＷｉ-Ｆｉ_Ｎｏ．１_ｉｎｄｅｘ新ＳＳＩＤパスワード格納部２１にも格納されているとする。スマートフォン/タブレット３００から通知されたｉｎｄｅｘ（＝２）と、モバイルルータ２００のＷｉ-Ｆｉ_Ｎｏ．１_ｉｎｄｅｘ新ＳＳＩＤパスワード格納部２１に格納されたｉｎｄｅｘ（＝２）とは一致するので、モバイルルータ２００からスマートフォン/タブレット３００に対し、ｉｎｄｅｘ＝２のＳＳＩＤ及びパスワードに切り替えするコマンドを送信する。
【００６３】
このコマンドを受信したスマートフォン/タブレット３００は、切り替え承諾のレスポンスをモバイルルータ２００に送信する。そして、スマートフォン/タブレット３００は、Ｗｉ-Ｆｉ通信に使用するＳＳＩＤ及びパスワードを、ｉｎｄｅｘ＝２に対応する、ＳＳＩＤ（＝ｂｃｔｑｇｕｘｂ）及びパスワード（＝ｅｄｆｇｓ４５８ｉｆｇｔ）に切り替える。モバイルルータ２００は、スマートフォン/タブレット３００からの切り替え承諾のレスポンスを受信した後、Ｗｉ-Ｆｉ通信に使用するＳＳＩＤ及びパスワードを、ｉｎｄｅｘ＝２に対応する、ＳＳＩＤ（＝ｂｃｔｑｇｕｘｂ）及びパスワード（＝ｅｄｆｇｓ４５８ｉｆｇｔ）に切り替える。
【００６４】
以上より、ユーザは、意図的にＳＳＩＤ及びパスワードを変更することなく、日常的な充電作業により定期的にＳＳＩＤ及びパスワードを変更することができる。また、充電器１００とモバイルルータ２００との間、及び充電器１００とスマートフォン／タブレット３００との間におけるＳＳＩＤ及びパスワードのやりとりは有線通信のみで行うため、ＳＳＩＤ及びパスワードの変更の際に第三者にＳＳＩＤ及びパスワードを傍受され難い。これにより、ユーザの負担なくセキュリティー性の高い、Ｗｉ-Ｆｉ通信のＳＳＩＤ及びパスワード変更システムを提供できる。
【００６５】
Ｗｉ-Ｆｉ通信のＳＳＩＤ及びパスワード変更システム４００においてＳＳＩＤ及びパスワードを変更する処理の流れについて以下で説明する。
図７、図８及び図９は、ＳＳＩＤ及びパスワード変更システム４００においてＳＳＩＤ及びパスワードを変更する処理の流れを示すフローチャートである。図７は、モバイルルータ２００側における処理フローを示す。図８は、スマートフォン／タブレット３００側における処理フローを示す。図９は、モバイルルータ２００とスマートフォン／タブレット３００とのやり取りについての処理フローを示す。なお、以下の説明において図２、図３及び図４を適宜参照する。
【００６６】
モバイルルータ２００側における処理フローについて、図７に示すように、まず使用ｉｎｄｅｘ格納部２６にｉｎｄｅｘが格納されているか否かを判断する（ステップＳ１０１）。ステップＳ１０１で使用ｉｎｄｅｘ格納部２６にｉｎｄｅｘが格納されていれば、Ｗｉ-Ｆｉ_Ｎｏ．１_ｉｎｄｅｘ新ＳＳＩＤパスワード格納部２１〜Ｗｉ-Ｆｉ_Ｎｏ．５_ｉｎｄｅｘ新ＳＳＩＤパスワード格納部２５のいずれかに格納されたＳＳＩＤ及びパスワードのうちで使用ｉｎｄｅｘ格納部２６に格納されているｉｎｄｅｘに対応するＳＳＩＤ及びパスワードを抽出し、当該ＳＳＩＤ及びパスワードを使用してＷｉ-Ｆｉ通信を動作させ（ステップＳ１０２）、スマートフォン／タブレット３００とＷｉ-Ｆｉ通信を開始する（ステップＳ１０５）。
【００６７】
ステップＳ１０１で使用ｉｎｄｅｘ格納部２６にｉｎｄｅｘが格納されていなければ、Ｗｉ-Ｆｉ初期ＳＳＩＤパスワード格納部２０に格納されたＳＳＩＤ及びパスワード使用してＷｉ-Ｆｉ通信を動作させ（ステップＳ１０３）、使用ｉｎｄｅｘ格納部２６に初期値（ｉｎｄｅｘ＝１）を格納し（ステップＳ１０４）、スマートフォン／タブレット３００とＷｉ-Ｆｉ通信を開始する（ステップＳ１０５）。
【００６８】
ステップＳ１０５に続き、ＳＳＩＤパスワード切替制御部８１が、スマートフォン／タブレット３００のＷｉ-Ｆｉ_Ｎｏ．１_ｉｎｄｅｘ新ＳＳＩＤパスワード格納部４４〜Ｗｉ-Ｆｉ_Ｎｏ．５_ｉｎｄｅｘ新ＳＳＩＤパスワード格納部４８に格納されているｉｎｄｅｘを問い合わせする、ｉｎｄｅｘ問い合わせコマンドを送信する（ステップＳ１０６）。
【００６９】
ステップＳ１０６に続き、ＳＳＩＤパスワード切替制御部８１が、スマートフォン／タブレット３００からのレスポンスを受信したか監視する（ステップ１０７）。なお、当該レスポンスは、Ｗｉ-Ｆｉ_Ｎｏ．１_ｉｎｄｅｘ新ＳＳＩＤパスワード格納部４４〜Ｗｉ-Ｆｉ_Ｎｏ．５_ｉｎｄｅｘ新ＳＳＩＤパスワード格納部４８にｉｎｄｅｘが、格納されている場合はｉｎｄｅｘの値、格納されていない場合はその旨の通知である。
【００７０】
ステップＳ１０７に続き、ＳＳＩＤパスワード切替制御部８１が、Ｗｉ-Ｆｉ_Ｎｏ．１_ｉｎｄｅｘ新ＳＳＩＤパスワード格納部２１〜Ｗｉ-Ｆｉ_Ｎｏ．５_ｉｎｄｅｘ新ＳＳＩＤパスワード格納部２５に格納されたｉｎｄｅｘとスマートフォン／タブレット３００から通知されたｉｎｄｅｘとの照合を行い（ステップＳ１０８）、Ｗｉ-Ｆｉ_Ｎｏ．１_ｉｎｄｅｘ新ＳＳＩＤパスワード格納部２１〜Ｗｉ-Ｆｉ_Ｎｏ．５_ｉｎｄｅｘ新ＳＳＩＤパスワード格納部２５に格納されたｉｎｄｅｘの中に、スマートフォン／タブレット３００から通知されたｉｎｄｅｘと一致するものがあるか否かを判断する（ステップＳ１０９）。
【００７１】
ステップＳ１０９で一致するｉｎｄｅｘがあると判断された場合、一致するｉｎｄｅｘのうち値が最も大きいもの（ここではｉｎｄｅｘ＝Ｂとする）を抽出する（ステップＳ１１０）。ステップＳ１０９で一致するｉｎｄｅｘがないと判断された場合、スマートフォン／タブレット３００に、Ｗｉ-Ｆｉに使用するＳＳＩＤ及びパスワードの設定を切替せず処理を終了する旨のコマンドを送信し（ステップＳ１１５）、Ｗｉ-Ｆｉ通信に使用するＳＳＩＤ及びパスワードの設定を切り替えず処理を終了する。
【００７２】
ステップＳ１１０に続き、抽出したｉｎｄｅｘが使用ｉｎｄｅｘ格納部２６に格納されたｉｎｄｅｘ（ここではｉｎｄｅｘ＝Ａとする）より大きいか否かを判断する（ステップＳ１１１）。スマートフォン／タブレット３００にＳＳＩＤ及びパスワード切ステップＳ１１１で抽出したｉｎｄｅｘが使用ｉｎｄｅｘ格納部２６に格納されたｉｎｄｅｘより大きい（Ｂ＞Ａ）と判断された場合、ＳＳＩＤ及びパスワード切替コマンドを送信する（ステップＳ１１２）。ＳＳＩＤ及びパスワード切替コマンドは、具体的には、Ｗｉ-Ｆｉ通信で使用するＳＳＩＤ及びパスワードの設定を、ステップＳ１１１で抽出したｉｎｄｅｘ（ｉｎｄｅｘ＝Ｂ）に対応するＳＳＩＤ及びパスワードに切り替えするよう指示するものである。
【００７３】
ステップＳ１１１で抽出したｉｎｄｅｘが使用ｉｎｄｅｘ格納部２６に格納されたｉｎｄｅｘより大きくない（Ｂ≦Ａ）と判断された場合、スマートフォン／タブレット３００に、Ｗｉ-Ｆｉに使用するＳＳＩＤ及びパスワードの設定を切替せず処理を終了する旨のコマンドを送信し（ステップＳ１１５）、Ｗｉ-Ｆｉ通信に使用するＳＳＩＤ及びパスワードの設定を切り替えず処理を終了する。
【００７４】
ステップＳ１１２に続き、ＳＳＩＤパスワード切替制御部８１が、スマートフォン／タブレット３００からＳＳＩＤ及びパスワードに切り替えすることを承認する承認レスポンスを受信したら、抽出したｉｎｄｅｘに対応するＳＳＩＤ及びパスワードに切り替えする（ステップＳ１１３）。ステップＳ１１３に続き、使用ｉｎｄｅｘ格納部２６に、ステップＳ１１０で抽出したｉｎｄｅｘを格納し（ステップＳ１１４）、処理を終了する。
【００７５】
スマートフォン／タブレット３００側における処理フローについて、図８に示すように、まず使用ｉｎｄｅｘ格納部４２にｉｎｄｅｘが格納されているか否かを判断する（ステップＳ２０１）。ステップＳ２０１で使用ｉｎｄｅｘ格納部４２にｉｎｄｅｘが格納されていれば、Ｗｉ-Ｆｉ_Ｎｏ．１_ｉｎｄｅｘ新ＳＳＩＤパスワード格納部４４〜Ｗｉ-Ｆｉ_Ｎｏ．５_ｉｎｄｅｘ新ＳＳＩＤパスワード格納部４８のいずれかに格納されたＳＳＩＤ及びパスワードのうちで使用ｉｎｄｅｘ格納部４２に格納されているｉｎｄｅｘに対応するＳＳＩＤ及びパスワードを抽出し、当該ＳＳＩＤ及びパスワードを使用してＷｉ-Ｆｉ通信を動作させ（ステップＳ２０２）、モバイルルータ２００とＷｉ-Ｆｉ通信を開始する（ステップＳ２０５）。
【００７６】
ステップＳ２０１で使用ｉｎｄｅｘ格納部４２にｉｎｄｅｘが格納されていなければ、Ｗｉ-Ｆｉ初期ＳＳＩＤパスワード格納部４３に格納されたＳＳＩＤ及びパスワード使用してＷｉ-Ｆｉ通信を動作させ（ステップＳ２０３）、使用ｉｎｄｅｘ格納部４３に初期値（ｉｎｄｅｘ＝１）を格納し（ステップＳ２０４）、モバイルルータ２００とＷｉ-Ｆｉ通信を開始する（ステップＳ２０５）。
【００７７】
ステップＳ２０５に続き、モバイルルータ２００から、Ｗｉ-Ｆｉ_Ｎｏ．１_ｉｎｄｅｘ新ＳＳＩＤパスワード格納部４４〜Ｗｉ-Ｆｉ_Ｎｏ．５_ｉｎｄｅｘ新ＳＳＩＤパスワード格納部４８に格納されているｉｎｄｅｘの問い合わせを受けたか監視する（ステップＳ２０６）。ステップＳ２０６で問い合わせを受けた場合、モバイルルータ２００にレスポンスを送信する（ステップＳ２０７）。上述したように、当該レスポンスは、Ｗｉ-Ｆｉ_Ｎｏ．１_ｉｎｄｅｘ新ＳＳＩＤパスワード格納部４４〜Ｗｉ-Ｆｉ_Ｎｏ．５_ｉｎｄｅｘ新ＳＳＩＤパスワード格納部４８にｉｎｄｅｘが、格納されている場合はｉｎｄｅｘの値、格納されていない場合はその旨の通知である。
【００７８】
ステップＳ２０７に続き、ＳＳＩＤ及びパスワード切替コマンドを受信したか監視する（ステップＳ２０８）。ステップＳ２０８でＳＳＩＤ及びパスワード切替コマンドを受信した場合、モバイルルータ２００に承認レスポンスを送信し（ステップＳ２０９）、ＳＳＩＤ及びパスワード切替コマンドにより指示されたｉｎｄｅｘに対応するＳＳＩＤ及びパスワードに切り替えする（ステップＳ２１０）。ステップＳ２１０に続き、使用ｉｎｄｅｘ格納部４２にＳＳＩＤ及びパスワード切替コマンドにより指示されたｉｎｄｅｘを格納し（ステップＳ２１１）、処理を終了する。
【００７９】
ステップＳ２０８でＳＳＩＤ及びパスワード切替コマンドを受信しない場合、モバイルルータ２００からＷｉ-Ｆｉに使用するＳＳＩＤ及びパスワードの設定を切替せず処理を終了する旨のコマンドを受信したか監視する（ステップＳ２１２）。ステップＳ２１２でモバイルルータ２００からＷｉ-Ｆｉに使用するＳＳＩＤ及びパスワードの設定を切替せず処理を終了する旨のコマンドを受信した場合、Ｗｉ-Ｆｉ通信に使用するＳＳＩＤ及びパスワードの設定を切り替えず処理を終了する。ステップＳ２１２でモバイルルータ２００からＷｉ-Ｆｉに使用するＳＳＩＤ及びパスワードの設定を切替せず処理を終了する旨のコマンドを受信しなかった場合、処理をステップＳ２０８に戻す。
【００８０】
モバイルルータ２００とスマートフォン／タブレット３００とのやり取りの処理フローについて、図９に示すように、まず、モバイルルータ２００からスマートフォン／タブレット３００に対しｉｎｄｅｘ問い合わせコマンドを送信する（ステップＳ３０１）。なお、ステップＳ３０１の処理は図７のステップＳ１０６の処理に相当する。続いて、スマートフォン／タブレット３００からモバイルルータ２００に対しレスポンスを送信する（ステップＳ３０２）。なお、ステップＳ３０２の処理は、図８のステップＳ２０７の処理に相当する。
【００８１】
ステップＳ３０２に続き、モバイルルータ２００からスマートフォン／タブレット３００に対しＳＳＩＤ及びパスワード切替コマンドを送信する（ステップＳ３０３）。なお、ステップＳ３０３の処理は、図７のステップＳ１１２の処理に相当する。続いて、スマートフォン／タブレット３００からモバイルルータ２００に対し承認レスポンスを送信する（ステップＳ３０４）。なお、ステップＳ３０４の処理は、図８のステップＳ２０９の処理に相当する。以上より、モバイルルータ２００及びスマートフォン／タブレット３００における、Ｗｉ-Ｆｉ通信に使用するＳＳＩＤ及びパスワードの設定の切り替えが完了する。
【００８２】
図１０は、モバイルルータ２００において、充電器１００から送信されてきたＵＳＢ送信データの内容を格納する処理の流れを示すフローチャートである。図１０に示すように、まず、ＵＳＢ送信データのｉｎｄｅｘと使用ｉｎｄｅｘ格納部２６のｉｎｄｅｘとが一致しているか否かを判断する（ステップＳ４０１）。ステップＳ４０１で一致していないと判断された場合、Ｗｉ-Ｆｉ_Ｎｏ．１_ｉｎｄｅｘ新ＳＳＩＤパスワード格納部２１〜Ｗｉ-Ｆｉ_Ｎｏ．５_ｉｎｄｅｘ新ＳＳＩＤパスワード格納部２５内のデータを更新せず処理を終了する。
【００８３】
ステップＳ４０１で一致していると判断された場合、ＵＳＢ送信データのｉｎｄｅｘとモバイルルータ２００のＷｉ-Ｆｉ_Ｎｏ.ｎ新ｓｓｉｄ_ｉｎｄｅｘ格納部(ｎ＝１〜５)に格納されたｉｎｄｅｘのいずれとが一致している否か判断する（ステップＳ４０２）。ステップＳ４０２で一致していないと判断された場合、Ｗｉ-Ｆｉ_Ｎｏ．１_ｉｎｄｅｘ新ＳＳＩＤパスワード格納部２１〜Ｗｉ-Ｆｉ_Ｎｏ．５_ｉｎｄｅｘ新ＳＳＩＤパスワード格納部２５内のデータを更新せず処理を終了する。
【００８４】
ステップＳ４０２で一致していないと判断された場合、Ｗｉ-Ｆｉ_Ｎｏ．１_ｉｎｄｅｘ新ＳＳＩＤパスワード格納部２１〜Ｗｉ-Ｆｉ_Ｎｏ．５_ｉｎｄｅｘ新ＳＳＩＤパスワード格納部２５のいずれにも入力されているか否か判断する（ステップＳ４０３）。ステップＳ４０３でＷｉ-Ｆｉ_Ｎｏ．１_ｉｎｄｅｘ新ＳＳＩＤパスワード格納部２１〜Ｗｉ-Ｆｉ_Ｎｏ．５_ｉｎｄｅｘ新ＳＳＩＤパスワード格納部２５のいずれにも入力されていると判断された場合、Ｗｉ-Ｆｉ_Ｎｏ．１_ｉｎｄｅｘ新ＳＳＩＤパスワード格納部２１〜Ｗｉ-Ｆｉ_Ｎｏ．５_ｉｎｄｅｘ新ＳＳＩＤパスワード格納部２５のうち、格納されているｉｎｄｅｘの値が最も小さいものにＵＳＢ送信データのｉｎｄｅｘ、ＳＳＩＤ、パスワードを上書きし（ステップＳ４０４）、処理を終了する。
【００８５】
ステップＳ４０３でＷｉ-Ｆｉ_Ｎｏ．１_ｉｎｄｅｘ新ＳＳＩＤパスワード格納部２１〜Ｗｉ-Ｆｉ_Ｎｏ．５_ｉｎｄｅｘ新ＳＳＩＤパスワード格納部２５のうちで入力されていないものがあると判断された場合、Ｗｉ-Ｆｉ_Ｎｏ．１_ｉｎｄｅｘ新ＳＳＩＤパスワード格納部２１〜Ｗｉ-Ｆｉ_Ｎｏ．５_ｉｎｄｅｘ新ＳＳＩＤパスワード格納部２５の中の入力がされていないもののうち、ｎの値が最も小さいものにＵＳＢ送信データのｉｎｄｅｘ、ＳＳＩＤ、パスワードを書き込み（ステップＳ４０５）、処理を終了する。
【００８６】
図１１は、スマートフォン／タブレット３００において、充電器１００から送信されてきたＵＳＢ送信テキストファイルの内容を格納する処理の流れを示すフローチャートである。当該処理は図１０に示した処理と基本的に同じである。図１１に示すように、まず、ＵＳＢ送信テキストファイルのｉｎｄｅｘと使用ｉｎｄｅｘ格納部４２のｉｎｄｅｘとが一致しているか否かを判断する（ステップＳ５０１）。ステップＳ５０１で一致していないと判断された場合、Ｗｉ-Ｆｉ_Ｎｏ．１_ｉｎｄｅｘ新ＳＳＩＤパスワード格納部４４〜Ｗｉ-Ｆｉ_Ｎｏ．５_ｉｎｄｅｘ新ＳＳＩＤパスワード格納部４８内のデータを更新せず処理を終了する。
【００８７】
ステップＳ５０１で一致していると判断された場合、ＵＳＢ送信テキストファイルのｉｎｄｅｘとＷｉ-Ｆｉ_Ｎｏ．１_ｉｎｄｅｘ新ＳＳＩＤパスワード格納部４４〜Ｗｉ-Ｆｉ_Ｎｏ．５_ｉｎｄｅｘ新ＳＳＩＤパスワード格納部４８に格納されたｉｎｄｅｘのいずれとが一致している否か判断する（ステップＳ５０２）。ステップＳ５０２で一致していないと判断された場合、Ｗｉ-Ｆｉ_Ｎｏ．１_ｉｎｄｅｘ新ＳＳＩＤパスワード格納部４４〜Ｗｉ-Ｆｉ_Ｎｏ．５_ｉｎｄｅｘ新ＳＳＩＤパスワード格納部４８内のデータを更新せず処理を終了する。
【００８８】
ステップＳ５０２で一致していないと判断された場合、Ｗｉ-Ｆｉ_Ｎｏ．１_ｉｎｄｅｘ新ＳＳＩＤパスワード格納部４４〜Ｗｉ-Ｆｉ_Ｎｏ．５_ｉｎｄｅｘ新ＳＳＩＤパスワード格納部４８のいずれにも入力されているか否か判断する（ステップＳ５０３）。ステップＳ５０３でＷｉ-Ｆｉ_Ｎｏ．１_ｉｎｄｅｘ新ＳＳＩＤパスワード格納部４４〜Ｗｉ-Ｆｉ_Ｎｏ．５_ｉｎｄｅｘ新ＳＳＩＤパスワード格納部４８のいずれにも入力されていると判断された場合、Ｗｉ-Ｆｉ_Ｎｏ．１_ｉｎｄｅｘ新ＳＳＩＤパスワード格納部４４〜Ｗｉ-Ｆｉ_Ｎｏ．５_ｉｎｄｅｘ新ＳＳＩＤパスワード格納部４８のうち、格納されているｉｎｄｅｘの値が最も小さいものにＵＳＢ送信テキストファイルのｉｎｄｅｘ、ＳＳＩＤ、パスワードを上書きし（ステップＳ５０４）、処理を終了する。
【００８９】
ステップＳ５０３でＷｉ-Ｆｉ_Ｎｏ．１_ｉｎｄｅｘ新ＳＳＩＤパスワード格納部４４〜Ｗｉ-Ｆｉ_Ｎｏ．５_ｉｎｄｅｘ新ＳＳＩＤパスワード格納部４８のうちで入力されていないものがあると判断された場合、Ｗｉ-Ｆｉ_Ｎｏ．１_ｉｎｄｅｘ新ＳＳＩＤパスワード格納部４４〜Ｗｉ-Ｆｉ_Ｎｏ．５_ｉｎｄｅｘ新ＳＳＩＤパスワード格納部４８の中の入力がされていないもののうち、ｎの値が最も小さいものにＵＳＢ送信テキストファイルのｉｎｄｅｘ、ＳＳＩＤ、パスワードを書き込み（ステップＳ５０５）、処理を終了する。
【００９０】
図１２は、モバイルルータ２００とスマートフォン/タブレット３００とのそれぞれにおける、使用ｉｎｄｅｘ格納部、Ｗｉ-Ｆｉ_初期ＳＳＩＤパスワード格納部及びＷｉ-Ｆｉ_Ｎｏ．ｎ_ｉｎｄｅｘ新ＳＳＩＤパスワード格納部（ｎ＝１〜５）の入力状況の一例（格納部入力状況例１）を示す図である。図１２に示すように、モバイルルータ２００の使用ｉｎｄｅｘ格納部２６にはｉｎｄｅｘ＝３が格納されている。また、Ｗｉ-Ｆｉ初期ＳＳＩＤパスワード格納部２０には、ＳＳＩＤ＝ＡＡＡ、パスワード＝ＢＢＢが、Ｗｉ-Ｆｉ_Ｎｏ．１_ｉｎｄｅｘ新ＳＳＩＤパスワード格納部２１には、ｉｎｄｅｘ＝３，ＳＳＩＤ＝ＣＣＣ、パスワード＝ＤＤＤが、Ｗｉ-Ｆｉ_Ｎｏ．２_ｉｎｄｅｘ新ＳＳＩＤパスワード格納部２２には、ｉｎｄｅｘ＝７、ＳＳＩＤ＝ＥＥＥ、パスワード＝ＦＦＦが、それぞれ格納されている。なお、Ｗｉ-Ｆｉ_Ｎｏ．３_ｉｎｄｅｘ新ＳＳＩＤパスワード格納部２３〜Ｗｉ-Ｆｉ_Ｎｏ．５_ｉｎｄｅｘ新ＳＳＩＤパスワード格納部２５には、何も入力されていない。
【００９１】
スマートフォン/タブレット３００の使用ｉｎｄｅｘ格納部４２には、ｉｎｄｅｘ＝３が格納されている。また、Ｗｉ-Ｆｉ初期ＳＳＩＤ_ｉｎｄｅｘパスワード格納部２０にはＳＳＩＤ＝ＡＡＡ、パスワード＝ＢＢＢが、Ｗｉ-Ｆｉ_Ｎｏ．１_ｉｎｄｅｘ新ＳＳＩＤパスワード格納部４４には、ｉｎｄｅｘ＝３、ＳＳＩＤ＝ＣＣＣ、パスワード＝ＤＤＤ、Ｗｉ-Ｆｉ_Ｎｏ．２_ｉｎｄｅｘ新ＳＳＩＤパスワード格納部４５には、ｉｎｄｅｘ＝５、ＳＳＩＤ＝ＧＧＧ、パスワード＝ＨＨＨが、Ｗｉ-Ｆｉ_Ｎｏ．３_ｉｎｄｅｘ新ＳＳＩＤパスワード格納部４６には、ｉｎｄｅｘ＝７、ＳＳＩＤ＝ＥＥＥ、パスワード＝ＦＦＦが、それぞれ格納されている。なお、Ｗｉ-Ｆｉ_Ｎｏ．４〜５_ｉｎｄｅｘ新ＳＳＩＤパスワード格納部４７〜４８には、何も入力されていない。
【００９２】
図１３は、ＵＳＢ充電器１００とモバイルルータ２００との間のＵＳＢ通信におけるＵＳＢ送信データのフォーマットの一例を示す図である。図１３に示すように、ＵＳＢ送信データの内容は、ｉｎｄｅｘ＝８、ＳＳＩＤ＝ｂｃｔｑｇｕｘｂ、パスワード＝ｅｄｆｇｓ４５８ｉｆｇｔである。
【００９３】
図１４は、ＵＳＢ充電器１００とスマートフォン/タブレット３００との間のＵＳＢ通信におけるＵＳＢ送信テキストファイルのフォーマットの一例を示す図である。図１４に示すＵＳＢ送信テキストファイルは、テキストファイル生成部３（図２参照）により、図１３に示すＵＳＢ送信データをテキスト形式のファイルに変換したものである。図１４に示すように、ＵＳＢ送信テキストファイルの内容は、上記ＵＳＢ送信データと同じで、ｉｎｄｅｘ＝８、ＳＳＩＤ＝ｂｃｔｑｇｕｘｂ、パスワード＝ｅｄｆｇｓ４５８ｉｆｇｔである。
【００９４】
図１５は、モバイルルータ２００及びスマートフォン/タブレット３００の使用ｉｎｄｅｘ格納部、Ｗｉ-Ｆｉ_初期ＳＳＩＤパスワード格納部及びＷｉ-Ｆｉ_Ｎｏ．ｎ_ｉｎｄｅｘ新ＳＳＩＤパスワード格納部（ｎ＝１〜５）の入力状況の一例（格納部入力状況例２）を示す図である。具体的には、図１２に示した格納部入力状況例２から、モバイルルータ２００が図１２に示すＵＳＢ送信データを、スマートフォン/タブレット３００が図１４に示すＵＳＢ送信テキストファイルを、それぞれ受信した後における入力状況を示す。
【００９５】
図１５に示すように、モバイルルータ２００の使用ｉｎｄｅｘ格納部２６には、ｉｎｄｅｘ＝３が格納されている。ＵＳＢ送信データ（図１３参照）のｉｎｄｅｘ（＝８）は使用ｉｎｄｅｘ格納部２６に格納されたｉｎｄｅｘ（＝３）より大きい。また、Ｗｉ-Ｆｉ_Ｎｏ．１_ｉｎｄｅｘ新ＳＳＩＤパスワード格納部２１、Ｗｉ-Ｆｉ_Ｎｏ．２_ｉｎｄｅｘ新ＳＳＩＤパスワード格納部２２には既に入力がされており、Ｗｉ-Ｆｉ_Ｎｏ．３_ｉｎｄｅｘ新ＳＳＩＤパスワード格納部２３〜Ｗｉ-Ｆｉ_Ｎｏ．５_ｉｎｄｅｘ新ＳＳＩＤパスワード格納部２５には何も入力されていない。従って、充電器１００より送信されたＵＳＢ送信データのｉｎｄｅｘ、ＳＳＩＤ及びパスワードを、モバイルルータ２００のＷｉ-Ｆｉ_Ｎｏ．ｎ_ｉｎｄｅｘ新ＳＳＩＤパスワード格納部（ｎ＝１〜５）の中で何も入力されていないもの（ｎ＝３〜５）のうち、ｎの値が最も小さいもの（ｎ＝３）に格納する。これにより、Ｗｉ-Ｆｉ_Ｎｏ．３_ｉｎｄｅｘ新ＳＳＩＤパスワード格納部２３には、ｉｎｄｅｘ＝８、ＳＳＩＤ＝ｂｃｔｑｇｕｘｂ、パスワード＝ｅｄｆｇｓ４５８ｉｆｇｔが格納される。
【００９６】
スマートフォン／タブレット３００の使用ｉｎｄｅｘ格納部４２には、ｉｎｄｅｘ＝３が格納されている。ＵＳＢ送信テキストファイル（図１４参照）のｉｎｄｅｘ（＝８）は使用ｉｎｄｅｘ格納部４２に格納されたｉｎｄｅｘ（＝３）より大きい。また、Ｗｉ-Ｆｉ_Ｎｏ．１_ｉｎｄｅｘ新ＳＳＩＤパスワード格納部４４〜Ｗｉ-Ｆｉ_Ｎｏ．３_ｉｎｄｅｘ新ＳＳＩＤパスワード格納部４６には既に入力がされており、Ｗｉ-Ｆｉ_Ｎｏ．４_ｉｎｄｅｘ新ＳＳＩＤパスワード格納部４７、Ｗｉ-Ｆｉ_Ｎｏ．５_ｉｎｄｅｘ新ＳＳＩＤパスワード格納部４８には何も入力されていない。従って、充電器１００より送信されたＵＳＢ送信テキストファイルのｉｎｄｅｘ、ＳＳＩＤ及びパスワードを、スマートフォン／タブレット３００のＷｉ-Ｆｉ_Ｎｏ．ｎ_ｉｎｄｅｘ新ＳＳＩＤパスワード格納部（ｎ＝１〜５）の中で何も入力されていないもの（ｎ＝４、５）のうち、ｎの値が最も小さいもの（ｎ＝４）に格納する。これにより、Ｗｉ-Ｆｉ_Ｎｏ．４_ｉｎｄｅｘ新ＳＳＩＤパスワード格納部４７には、ｉｎｄｅｘ＝８、ＳＳＩＤ＝ｂｃｔｑｇｕｘｂ、パスワード＝ｅｄｆｇｓ４５８ｉｆｇｔが、それぞれ格納される。
【００９７】
以上より、ユーザは、意図的にＳＳＩＤ及びパスワードを変更することなく、日常的な充電作業により定期的にＳＳＩＤ及びパスワードを変更することができる。また、充電器１００とモバイルルータ２００との間、及び充電器１００とスマートフォン／タブレット３００との間におけるＳＳＩＤ及びパスワードのやりとりは有線通信のみで行うため、ＳＳＩＤ及びパスワードの変更の際に第三者にＳＳＩＤ及びパスワードを傍受され難い。これにより、ユーザの負担なくセキュリティー性の高い、Ｗｉ-Ｆｉ通信のＳＳＩＤ及びパスワード変更システムを提供できる。
【００９８】
上述の実施の形態では、本発明をハードウェアの構成として説明したが、本発明は、これに限定されるものではない。本発明は、各処理を、ＣＰＵ（Ｃｅｎｔｒａｌ  Ｐｒｏｃｅｓｓｉｎｇ  Ｕｎｉｔ）にコンピュータプログラムを実行させることにより実現することも可能である。
【００９９】
上述の例において、プログラムは、様々なタイプの非一時的なコンピュータ可読媒体（ｎｏｎ-ｔｒａｎｓｉｔｏｒｙ  ｃｏｍｐｕｔｅｒ  ｒｅａｄａｂｌｅ  ｍｅｄｉｕｍ）を用いて格納され、コンピュータに供給することができる。非一時的なコンピュータ可読媒体は、様々なタイプの実体のある記録媒体（ｔａｎｇｉｂｌｅ  ｓｔｏｒａｇｅ  ｍｅｄｉｕｍ）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Ｒｅａｄ  Ｏｎｌｙ  Ｍｅｍｏｒy）、ＣＤ−Ｒ、ＣＤ−Ｒ／Ｗ、半導体メモリ（例えば、マスクＲＯＭ、ＰＲＯＭ（Ｐｒｏｇｒａｍｍａｂｌｅ  ＲＯＭ）、ＥＰＲＯＭ（Ｅｒａｓａｂｌｅ  ＰＲＯＭ）、フラッシュＲＯＭ、ＲＡＭ（Ｒａｎｄｏｍ  Ａｃｃｅｓｓ  Ｍｅｍｏｒｙ）を含む。また、プログラムは、様々なタイプの一時的なコンピュータ可読媒体（ｔｒａｎｓｉｔｏｒｙ  ｃｏｍｐｕｔｅｒ  ｒｅａｄａｂｌｅ  ｍｅｄｉｕｍ）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【０１００】
なお、本発明は上記実施の形態に限られたものではなく、趣旨を逸脱しない範囲で適宜変更することが可能である。例えば、上記実施の形態では、ＵＳＢ充電器はＵＳＢプラグを複数有する（上記実施の形態では２つ）が、ＵＳＢ充電器のＵＳＢプラグを１つのみとすることもできる。この様にすると、ＵＳＢ充電器の構成を簡略化しコストを低減できる。ただし、モバイルルータとスマートフォン/タブレットとを繋ぎ替える必要がある分、ユーザの負担は増加する。
【０１０１】
また、上記実施の形態では、ＵＳＢ充電器においてＵＳＢプラグを２つ設けているが、３つ以上設けてもよい。この様な構成とすることで、複数のスマートフォン/タブレットに対し同一のＳＳＩＤ及びパスワードを設定することができる。
【０１０２】
本発明と関連して、上記実施の形態にかかるＷｉ-Ｆｉ通信のＳＳＩＤ及びパスワード変更システムにおいて、ＵＳＢ充電器をＱｉ規格などによるワイヤレス給電（充電）器に置き換えることも考えられる。このワイヤレス給電器はモバイルルータ及びスマートフォン／タブレットとの通信をＮＦＣ/ＴｒａｎｓｆｅｒＪｅｔ/赤外線通信などの近距離無線転送で行うこと以外は上記実施の形態におけるＵＳＢ充電器と同じである。この様な構成とすることで、ケーブルを接続する手間を省くことができるので、よりユーザの負担を軽減できる。ただし、ＵＳＢ充電器を用いた構成に対しセキュリティー性は低下する。ワイヤレス給電器とモバイルルータとの間、及びワイヤレス給電器とスマートフォン／タブレットとの間でのＳＳＩＤ及びパスワードのやり取りを極近距離での無線通信に限るようにすれば、ＳＳＩＤ及びパスワードを第三者に傍受される危険性を比較的低くすることができる。
【０１０３】
さらに、上記実施の形態にかかるＵＳＢ充電器をＰＬＣ(Ｐｏｗｅｒ  Ｌｉｎｅ  Ｃｏｍｍｕｎｉｃａｔｉｏｎ)規格により通信させることで、離れた位置の１００Ｖ電源に接続された複数のＵＳＢ充電器間においてＳＳＩＤ及びパスワードのやり取りをすることが可能になる。
【符号の説明】
【０１０４】
５００  ＳＳＩＤパスワード変更システム
５１０  携帯通信端末
５２０  モバイルルータ
５３０  充電器
５３１  ＵＳＢ接続端子
５３２  ＳＳＩＤパスワード生成部
【図１】
0006443932.tif 000002
【図２】
0006443932.tif 000003
【図３】
0006443932.tif 000004
【図４】
0006443932.tif 000005
【図５】
0006443932.tif 000006
【図６】
0006443932.tif 000007
【図７】
0006443932.tif 000008
【図８】
0006443932.tif 000009
【図９】
0006443932.tif 000010
【図１０】
0006443932.tif 000011
【図１１】
0006443932.tif 000012
【図１２】
0006443932.tif 000013
【図１３】
0006443932.tif 000014
【図１４】
0006443932.tif 000015
【図１５】
0006443932.tif 000016